(57)【要約】【課題】各スレーブ機器のＩＤ番号を、ＤＩＰスイッチを用いることなく自動的に設定することで施工性の向上を図るとともに、ＩＤ番号の重複割り当てを回避することで誤設定による異常動作を防止できるインターホンシステムを提供する。【解決手段】インターホンシステムは、信号線３を介して接続された親機１と複数台の副親機２1〜２Ｎとで構成され、各副親機２1〜２Ｎは、他の副親機２と重ならないように設定される仮ＩＤ番号を含むＩＤ要求メッセージを親機１に向けて送信し、親機１は、ＩＤ要求メッセージを受信すると、仮ＩＤ番号および正規ＩＤ番号を含むＩＤ割当メッセージを対応する副親機２に送信し、各副親機２1〜２Ｎは、ＩＤ要求メッセージの送信後に仮ＩＤ番号が一致するＩＤ割当メッセージを受信すると、このＩＤ割当メッセージに含まれる正規ＩＤ番号を自己のＩＤ番号に設定する。【選択図】図１
2010081123.tif 000002
【特許請求の範囲】
【請求項１】
信号線を介して接続されたマスター機器と複数台のスレーブ機器とを備え、マスター機器と各スレーブ機器との間、もしくは、スレーブ機器同士の間で、ＩＤ番号を用いて個体識別するインターホンシステムにおいて、前記各スレーブ機器は、他のスレーブ機器と重ならないように設定される仮ＩＤ番号を少なくとも含むＩＤ要求メッセージを前記マスター機器に送信し、前記マスター機器は、前記ＩＤ要求メッセージを受信すると、前記仮ＩＤ番号および該仮ＩＤ番号に対応して割り当てられる正規ＩＤ番号を少なくとも含むＩＤ割当メッセージを対応するスレーブ機器に送信し、前記各スレーブ機器は、前記ＩＤ要求メッセージの送信後に仮ＩＤ番号が一致するＩＤ割当メッセージを受信すると、該ＩＤ割当メッセージに含まれる正規ＩＤ番号を自己のＩＤ番号に設定することを特徴とするインターホンシステム。
【請求項２】
前記仮ＩＤ番号は、ランダムに設定される番号からなることを特徴とする請求項１記載のインターホンシステム。
【請求項３】
前記仮ＩＤ番号は、各スレーブ機器に固有の番号からなることを特徴とする請求項１記載のインターホンシステム。
【請求項４】
前記各スレーブ機器は、仮ＩＤ番号が一致するＩＤ割当メッセージを受信すると、正規ＩＤ番号を受領したことを知らせるＩＤ受領メッセージを前記マスター機器に送信することを特徴とする請求項１〜３の何れか１項に記載のインターホンシステム。
【請求項５】
前記各スレーブ機器は、前記ＩＤ割当メッセージの受信後であってランダムに設定される待ち時間の経過後に前記ＩＤ受領メッセージを送信するように構成され、前記待ち時間の経過前に他のスレーブ機器から送信されるＩＤ受領メッセージに自己に割り当てられた正規ＩＤ番号と重複する正規ＩＤ番号が含まれているのを検出した場合、自己に割り当てられた正規ＩＤ番号を破棄するとともに、前記ＩＤ要求メッセージを前記マスター機器に再送信することを特徴とする請求項４記載のインターホンシステム。
【請求項６】
前記各スレーブ機器は、前記マスター機器からブロードキャスト送信されるＩＤ登録メッセージを前記ＩＤ要求メッセージの送信用のトリガとし、前記正規ＩＤ番号が割り当てられていない場合には、前記ＩＤ登録メッセージの受信後であってランダムに設定される待ち時間の経過後に、前記ＩＤ要求メッセージを前記マスター機器に送信することを特徴とする請求項１〜５の何れか１項に記載のインターホンシステム。
【請求項７】
前記各スレーブ機器は、前記ＩＤ要求メッセージを送信する際に、それまでに送信された他のスレーブ機器からのＩＤ要求メッセージに含まれる仮ＩＤ番号と重複しないように前記仮ＩＤ番号を設定することを特徴とする請求項６記載のインターホンシステム。
【請求項８】
前記各スレーブ機器は、ＩＤ設定操作部をそれぞれ有し、前記正規ＩＤ番号が割り当てられていない状態で前記ＩＤ設定操作部が操作されると、前記ＩＤ要求メッセージを前記マスター機器に送信することを特徴とする請求項１〜５の何れか１項に記載のインターホンシステム。
【請求項９】
前記各スレーブ機器は、他のスレーブ機器から送信される通信メッセージに自己に割り当てられた正規ＩＤ番号と重複する正規ＩＤ番号が含まれているのを検出した場合、自己に割り当てられた正規ＩＤ番号を破棄するとともに、前記ＩＤ要求メッセージを前記マスター機器に再送信することを特徴とする請求項１〜８の何れか１項に記載のインターホンシステム。
【請求項１０】
前記マスター機器は、前記各スレーブ機器に割り当てられる前記正規ＩＤ番号を一括管理し、各スレーブ機器からのＩＤ要求メッセージを受け取る度に、未使用のＩＤ番号を前記正規ＩＤ番号として割り当てることを特徴とする請求項１〜９の何れか１項に記載のインターホンシステム。
【発明の詳細な説明】
【技術分野】
【０００１】
本発明は、インターホンシステムに関するものである。
【背景技術】
【０００２】
従来より、住戸内に設置された親機（マスター機器）と、同じく住戸内に設置された副親機（スレーブ機器）や住戸の玄関に設置されたドアホン子器（スレーブ機器）との間を信号線で接続し、該信号線を介して音声信号や映像信号などを送受信できるインターホンシステムが提供されている。
【０００３】
このようなインターホンシステムでは、複数のドアホン子器や副親機をそれぞれ個体識別するために、各ドアホン子器や副親機に対して個別のＩＤ番号が割り当てられるようになっている。図９（ａ）は従来例の副親機２’の概略ブロック図を示しており、ＩＤ番号を設定する際には、例えば図９（ｂ）に示すように４ｂｉｔのＤＩＰスイッチＳＷ１が用いられていた。しかしながら、この場合、すべての副親機２’に対してＩＤ番号が重複しないように設定、管理する必要があり、さらに誤設定した場合には異常動作を引き起こす虞があった。
【０００４】
一方、ＤＩＰスイッチを用いることなくＩＤ番号を割り当てる方法も従来提案されている（例えば特許文献１，２参照）。特許文献１に示す方法では、信号線を介して親機（マスター機器）に接続された複数の増設親機（スレーブ機器）の中の１台が、他の増設親機のＩＤ番号をモニタリングした結果、自身と同じＩＤ番号であることを検出した場合には、自身のＩＤ番号を自動的に再設定するようになっており、特許文献２に示す方法では、信号線を介して親機に接続された各増設親機から親機を呼び出した順番にＩＤ番号が自動的に設定されるようになっている。
【特許文献１】特開平１１−２８４７５４号公報（段落［００１０］−段落［００１２］、及び、第１図−第３図）
【特許文献２】特開２０００−２８６９６９号公報（段落［００１１］−段落［００１３］、及び、第１図−第３図）
【発明の開示】
【発明が解決しようとする課題】
【０００５】
しかしながら、上述の特許文献１の場合には、各増設親機ではＩＤ番号の管理を行っていないため、再設定したＩＤ番号がさらに別の増設親機のＩＤ番号と同じになる可能性があった。また、特許文献２の場合には、複数の増設親機から同時に親機が呼び出された場合にはそれぞれを区別できないため、同じＩＤ番号が重複設定される可能性があった。
【０００６】
本発明は上記問題点に鑑みて為されたものであり、その目的とするところは、各スレーブ機器のＩＤ番号を、ＤＩＰスイッチを用いることなく自動的に設定することで施工性の向上を図るとともに、ＩＤ番号の重複割り当てを回避することで誤設定による異常動作を防止できるインターホンシステムを提供することにある。
【課題を解決するための手段】
【０００７】
請求項１の発明は、信号線を介して接続されたマスター機器と複数台のスレーブ機器とを備え、マスター機器と各スレーブ機器との間、もしくは、スレーブ機器同士の間で、ＩＤ番号を用いて個体識別するインターホンシステムにおいて、各スレーブ機器は、他のスレーブ機器と重ならないように設定される仮ＩＤ番号を少なくとも含むＩＤ要求メッセージをマスター機器に送信し、マスター機器は、ＩＤ要求メッセージを受信すると、仮ＩＤ番号および該仮ＩＤ番号に対応して割り当てられる正規ＩＤ番号を少なくとも含むＩＤ割当メッセージを対応するスレーブ機器に送信し、各スレーブ機器は、ＩＤ要求メッセージの送信後に仮ＩＤ番号が一致するＩＤ割当メッセージを受信すると、該ＩＤ割当メッセージに含まれる正規ＩＤ番号を自己のＩＤ番号に設定することを特徴とする。
【０００８】
請求項２の発明は、仮ＩＤ番号は、ランダムに設定される番号からなることを特徴とする。
【０００９】
請求項３の発明は、仮ＩＤ番号は、各スレーブ機器に固有の番号からなることを特徴とする。
【００１０】
請求項４の発明は、各スレーブ機器は、仮ＩＤ番号が一致するＩＤ割当メッセージを受信すると、正規ＩＤ番号を受領したことを知らせるＩＤ受領メッセージをマスター機器に送信することを特徴とする。
【００１１】
請求項５の発明は、各スレーブ機器は、ＩＤ割当メッセージの受信後であってランダムに設定される待ち時間の経過後にＩＤ受領メッセージを送信するように構成され、待ち時間の経過前に他のスレーブ機器から送信されるＩＤ受領メッセージに自己に割り当てられた正規ＩＤ番号と重複する正規ＩＤ番号が含まれているのを検出した場合、自己に割り当てられた正規ＩＤ番号を破棄するとともに、ＩＤ要求メッセージをマスター機器に再送信することを特徴とする。
【００１２】
請求項６の発明は、各スレーブ機器は、マスター機器からブロードキャスト送信されるＩＤ登録メッセージをＩＤ要求メッセージの送信用のトリガとし、正規ＩＤ番号が割り当てられていない場合には、ＩＤ登録メッセージの受信後であってランダムに設定される待ち時間の経過後に、ＩＤ要求メッセージをマスター機器に送信することを特徴とする。
【００１３】
請求項７の発明は、各スレーブ機器は、ＩＤ要求メッセージを送信する際に、それまでに送信された他のスレーブ機器からのＩＤ要求メッセージに含まれる仮ＩＤ番号と重複しないように仮ＩＤ番号を設定することを特徴とする。
【００１４】
請求項８の発明は、各スレーブ機器は、ＩＤ設定操作部をそれぞれ有し、正規ＩＤ番号が割り当てられていない状態でＩＤ設定操作部が操作されると、ＩＤ要求メッセージをマスター機器に送信することを特徴とする。
【００１５】
請求項９の発明は、各スレーブ機器は、他のスレーブ機器から送信される通信メッセージに自己に割り当てられた正規ＩＤ番号と重複する正規ＩＤ番号が含まれているのを検出した場合、自己に割り当てられた正規ＩＤ番号を破棄するとともに、ＩＤ要求メッセージをマスター機器に再送信することを特徴とする。
【００１６】
請求項１０の発明は、マスター機器は、各スレーブ機器に割り当てられる正規ＩＤ番号を一括管理し、各スレーブ機器からのＩＤ要求メッセージを受け取る度に、未使用のＩＤ番号を正規ＩＤ番号として割り当てることを特徴とする。
【発明の効果】
【００１７】
請求項１の発明によれば、各スレーブ機器から送信されるＩＤ要求メッセージに含まれる仮ＩＤ番号を、他のスレーブ機器と重ならないように設定することで、仮ＩＤ番号に対応して割り当てられる正規ＩＤ番号を重複しないように設定することができ、その結果ＩＤ番号の誤設定による異常動作を抑制することができる。また、マスター機器と各スレーブ機器との間のメッセージのやりとりでＩＤ番号を設定することができるので、従来例のようにＤＩＰスイッチを用いなくてもよく、施工性が向上するという効果がある。
【００１８】
請求項２の発明によれば、仮ＩＤ番号としてランダムに設定される番号を用いることで、各スレーブ機器から送信される仮ＩＤ番号の重複を低く抑えることができ、その結果仮ＩＤ番号に対応して割り当てられる正規ＩＤ番号の重複も低く抑えることができるので、ＩＤ番号の誤設定のよる異常動作を抑制することができる。また、他のスレーブ機器に設定される仮ＩＤ番号を監視しなくてもいいので、システムを簡略化することができるという効果がある。
【００１９】
請求項３の発明によれば、仮ＩＤ番号として、例えば製造シリアル番号などの各スレーブ機器に固有の番号を用いることで、各スレーブ機器から送信される仮ＩＤ番号の重複を避けることができ、その結果仮ＩＤ番号に対応して割り当てられる正規ＩＤ番号の重複も避けることができるので、ＩＤ番号の誤設定のよる異常動作を防止することができる。また、他のスレーブ機器に設定される仮ＩＤ番号を監視しなくてもいいので、システムを簡略化することができるという効果がある。
【００２０】
請求項４の発明によれば、各スレーブ機器からマスター機器にＩＤ受領メッセージを送信することで、マスター機器では正規ＩＤ番号の割り当てが成功したことを把握することができ、またＩＤ受領メッセージが送信されない場合には、対応するスレーブ機器宛のＩＤ割当メッセージを再送信したりすることで、正規ＩＤ番号の割り当てエラーを防止することができるという効果がある。
【００２１】
請求項５の発明によれば、複数のスレーブ機器において重複した正規ＩＤ番号が割り当てられた場合でも、ＩＤ受領メッセージを送信するまでの待ち時間の経過前に、他のスレーブ機器が送信するＩＤ受領メッセージに重複した正規ＩＤ番号が含まれているのを検出した場合には、各スレーブ機器は受領した正規ＩＤ番号を破棄するとともに、マスター機器に対してＩＤ要求メッセージを再送信するので、ＩＤ番号の重複割り当てを回避することができ、その結果誤設定による異常動作を防止することができるという効果がある。
【００２２】
請求項６の発明によれば、マスター機器からブロードキャスト送信されるＩＤ登録メッセージをトリガにして、各スレーブ機器がＩＤ要求メッセージをマスター機器に送信するので、各スレーブ機器への正規ＩＤ番号の割り当てを一括して行うことができ、ＩＤ番号の割り当て作業の効率化が図れる。また、各スレーブ機器がＩＤ要求メッセージを送信するまでの待ち時間をランダムに設定しているので、メッセージ衝突による通信エラーを防止できるとともに、マスター機器のＣＰＵに処理負荷が集中するのを防止することができるという効果がある。
【００２３】
請求項７の発明によれば、各スレーブ機器は、ＩＤ要求メッセージを送信するまでの待ち時間の間に、他のスレーブ機器から送信されるＩＤ要求メッセージをモニタし、これらのＩＤ要求メッセージに含まれる仮ＩＤ番号と重複しないように仮ＩＤ番号を設定するので、ＩＤ番号の重複割り当てをより確実に防止できるという効果がある。
【００２４】
請求項８の発明によれば、各スレーブ機器にそれぞれ設けたＩＤ設定操作部が操作されると、ＩＤ要求メッセージをマスター機器に送信するので、施工後において各スレーブ機器のＩＤ設定操作部を順次操作することで、すべてのスレーブ機器に対して確実に正規ＩＤ番号を割り当てることができるという効果がある。
【００２５】
請求項９の発明によれば、他のスレーブ機器が送信する通信メッセージに含まれる正規ＩＤ番号が自己に割り当てられた正規ＩＤ番号と重複している場合には、自己の正規ＩＤ番号を破棄するとともに、マスター機器に対してＩＤ要求メッセージを再送信するので、ＩＤ番号の割り当て動作において重複するＩＤ番号が割り当てられた場合でも、自動的に重複設定を解消することができ、その結果誤設定による異常動作を防止することができるという効果がある。
【００２６】
請求項１０の発明によれば、仮ＩＤ番号に対応して割り当てられる正規ＩＤ番号を、マスター機器において一括管理しているので、ＩＤ番号の重複割り当てを防止したインターホンシステムを実現することができるという効果がある。
【発明を実施するための最良の形態】
【００２７】
以下に本発明に係るインターホンシステムの実施形態を図面に基づいて説明する。本発明に係るインターホンシステムは、例えば図１（ａ）に示すように、住戸内に設置された１台の親機１と、同じく住戸内に設置された複数台の副親機２１〜２Ｎとの間が信号線３で接続され、該信号線３を介して音声信号や映像信号を相互に送受信できるようになっている。
【００２８】
（実施形態１）
図１（ａ）は本実施形態のインターホンシステムの概略ブロック図を示し、信号線３に接続された１台の親機（マスター機器）１と、同じく信号線３に接続された複数台の副親機（スレーブ機器）２１〜２Ｎとを備えている。なお、以下の説明において、副親機２１〜２Ｎを区別する必要がない場合には、副親機２と称す。
【００２９】
親機１は、図１（ｂ）に示すように、例えばマイクロコンピュータからなる制御手段（ＣＰＵ）１０と、音声信号に所定の信号処理を行う信号処理手段１１と、信号線３を介して伝送される多重信号を分離したり、信号線３に重畳させる複数の信号を多重化する多重分離手段１３と、制御手段１０からの制御信号を送信するとともに後述する副親機２の制御手段２０からの制御信号を受信するための制御信号送受信手段１２と、各副親機２に割り当てた正規ＩＤ番号を記憶するためのＩＤ番号割当管理メモリ１４と、複数の呼出ボタンなどで構成された操作手段１５とを備えている。
【００３０】
信号処理手段１１は、マイクロホン５１から入力される音声信号を信号線３に重畳するための信号に変換する送信処理手段１１ａと、信号線３を介して伝送された信号を音声信号に復調する受信処理手段１１ｂとを備え、マイクロホン５１と送信処理手段１１ａとの間には入力された音声信号を増幅させるマイクロホンアンプ４３が設けられるとともに、送信処理手段１１ａと多重分離手段１３との間には変調した信号を増幅させる送信アンプ４１が設けられている。また、スピーカ５２と受信処理手段１１ｂとの間には復調した音声信号を増幅させるスピーカアンプ４４が設けられるとともに、受信処理手段１１ｂと多重分離手段１３との間には信号線３を介して伝送される信号を増幅させる受信アンプ４２が設けられている。
【００３１】
副親機２は、図１（ｃ）に示すように、例えばマイクロコンピュータからなる制御手段（ＣＰＵ）２０と、音声信号に所定の信号処理を行う信号処理手段２１と、信号線３を介して伝送される多重信号を分離したり、信号線３に重畳させる複数の信号を多重化する多重分離手段２３と、制御手段２０からの制御信号を送信するとともに親機１の制御手段１０からの制御信号を受信するための制御信号送受信手段２２と、自己に割り当てられた正規ＩＤ番号を記憶するためのＩＤ番号割当メモリ２４と、複数の呼出ボタンなどで構成された操作手段２５と、自己の製造シリアル番号を記憶するための製造シリアル番号記憶メモリ２６とを備えている。なお、信号処理手段２１は、上述した親機１の信号処理手段１１と同様であるから、詳細な説明は省略する。
【００３２】
ここで、本インターホンシステムでは、複数台の副親機２１〜２Ｎを識別するために、各副親機２１〜２Ｎにそれぞれ個別のＩＤ番号を割り当てている。以下に、各副親機２１〜２ＮにＩＤ番号を割り当てる方法について説明する。
【００３３】
例えば、図２（ａ）に示すように副親機２１にＩＤ番号を割り当てる場合には、まず副親機２１から親機１に向けてＩＤ要求メッセージが送信される。このＩＤ要求メッセージには、図２（ｂ）に示すように１６ｂｉｔのランダムデータからなる仮ＩＤ番号が含まれており、ここでは仮ＩＤ番号として１２３４が与えられたとする。すると親機１では、受信した仮ＩＤ番号１２３４に対応させて正規ＩＤ番号１が割り当てられ、副親機２１に向けてＩＤ割当メッセージが送信される。なおこのとき、親機１では、仮ＩＤ番号１２３４と正規ＩＤ番号１とを対応づける形でＩＤ番号割当管理メモリ１４に記憶させる。
【００３４】
上記のＩＤ割当メッセージは、図２（ｃ）に示すように上述した仮ＩＤ番号１２３４と、この仮ＩＤ番号１２３４に対応する形で割り当てられた正規ＩＤ番号１とを含むように作成され、対応する副親機２１に向けて送信される。そして、副親機２１では、受信したＩＤ割当メッセージに含まれる正規ＩＤ番号１をＩＤ番号割当メモリ２４に記憶させるとともに、自己のＩＤ番号として設定する。なお、上述したＩＤ要求メッセージやＩＤ割当メッセージの先頭には動作目的を示す４ｂｉｔの動作フラグが含まれており、ＩＤ要求メッセージの場合にはＩＤ要求を示す動作フラグ０００１が、ＩＤ割当メッセージの場合にはＩＤ割当を示す動作フラグ００１０がそれぞれ含まれている。
【００３５】
次に、副親機２３にＩＤ番号を割り当てる場合について説明する。同様に、副親機２３から親機１に向けてランダムに設定された仮ＩＤ番号３４５６を含むＩＤ要求メッセージが送信されると、親機１では、仮ＩＤ番号３４５６とこの仮ＩＤ番号３４５６に対応する正規ＩＤ番号２を含むＩＤ割当メッセージが作成され、副親機２３に向けて送信される。そして、副親機２３では、受信したＩＤ割当メッセージに含まれる正規ＩＤ番号２をＩＤ番号割当メモリ２４に記憶させるとともに、自己のＩＤ番号として設定する。なおこのとき、親機１では、仮ＩＤ番号３４５６と正規ＩＤ番号２とを対応づける形でＩＤ番号割当管理メモリ１４に記憶させる。
【００３６】
而して、本実施形態によれば、各副親機２１〜２Ｎから送信されるＩＤ要求メッセージに含まれる仮ＩＤ番号を、例えばランダムに設定される番号を用いることで、各副親機２１〜２Ｎから送信される仮ＩＤ番号の重複を低く抑えることができ、その結果仮ＩＤ番号に対応して割り当てられる正規ＩＤ番号の重複も低く抑えることができるので、ＩＤ番号の誤設定のよる異常動作を抑制することができる。また、他の副親機２に設定される仮ＩＤ番号を監視しなくてもいいので、システムを簡略化することができる。さらに、親機１と各副親機２との間のメッセージのやりとりでＩＤ番号を設定することができるので、従来例のようにＤＩＰスイッチを用いなくてもよく、施工性が向上するという利点がある。また、本実施形態では、仮ＩＤ番号に対応して割り当てられる正規ＩＤ番号を、親機１において一括管理しているので、ＩＤ番号の重複割り当てを抑制したインターホンシステムを実現することができる。
【００３７】
なお、本実施形態では、図２（ｂ）（ｃ）に示すように、仮ＩＤ番号としてランダムに設定される番号を用いているが、例えば製造シリアル番号記憶メモリ２６に記憶させた製造シリアル番号などのように各副親機２１〜２Ｎに固有の番号を仮ＩＤ番号として用いてもよく（図３（ａ）（ｂ）参照）、この場合、各副親機２１〜２Ｎから送信される仮ＩＤ番号の重複を避けることができ、その結果仮ＩＤ番号に対応して割り当てられる正規ＩＤ番号の重複も避けることができるので、ＩＤ番号の誤設定による異常動作を防止することができる。
【００３８】
（実施形態２）
本発明に係るインターホンシステムの実施形態２を図４（ａ）（ｂ）に基づいて説明する。実施形態１では、各副親機２が、親機１から送信されるＩＤ割当メッセージに含まれる正規ＩＤ番号を自己のＩＤ番号に設定した時点でＩＤ番号割当動作を終了させているが、本実施形態ではさらに、各副親機２から親機１に向けて正規ＩＤ番号を受領したことを知らせるＩＤ受領メッセージを送信する点で異なっている。なお、それ以外の構成は実施形態１と同様であり、同一の構成要素には同一の符号を付して説明は省略する。
【００３９】
図４（ｂ）は、各副親機２がＩＤ割当メッセージを受信した後に、親機１に向けて送信するＩＤ受領メッセージを示し、このＩＤ受領メッセージには仮ＩＤ番号と、該仮ＩＤ番号に対応して割り当てられる正規ＩＤ番号と、正規ＩＤ番号を受領したことを示す動作フラグ００１１とが含まれている。
【００４０】
例えば、副親機２１から親機１に向けてランダムに設定された仮ＩＤ番号１２３４を含むＩＤ要求メッセージが送信された場合、親機１では仮ＩＤ番号１２３４に対応させて正規ＩＤ番号１を割り当て、仮ＩＤ番号１２３４および正規ＩＤ番号１を含むＩＤ割当メッセージを副親機２１に向けて送信する。そして、副親機２１では、ＩＤ割当メッセージに含まれる正規ＩＤ番号１をＩＤ番号割当メモリ２４に記憶させるとともに、自己のＩＤ番号として設定する。またこのとき、副親機２１は、正規ＩＤ番号を受領したことを示す動作フラグ００１１を含むＩＤ受領メッセージを親機１に向けて送信し、親機１がこのＩＤ受領メッセージを受信すると一連の動作が完了する。
【００４１】
また、副親機２３にＩＤ番号を割り当てる場合も同様にして、まず副親機２３から親機１に向けてランダムに設定された仮ＩＤ番号３４５６を含むＩＤ要求メッセージが送信されると、親機１では仮ＩＤ番号３４５６および正規ＩＤ番号２を含むＩＤ割当メッセージが作成され、副親機２３に送信される。そして、副親機２３では、受信した正規ＩＤ番号２をＩＤ番号割当メモリ２４に記憶させるとともに自己のＩＤ番号として設定し、さらにＩＤ受領メッセージを親機１に送信する。
【００４２】
而して、本実施形態によれば、各副親機２から親機１にＩＤ受領メッセージを送信することで、親機１では正規ＩＤ番号の割り当てが成功したことを把握することができ、またＩＤ受領メッセージが送信されない場合には、対応する副親機２宛てのＩＤ割当メッセージを再送信したりすることで、正規ＩＤ番号の割り当てエラーを防止することができる。
【００４３】
（実施形態３）
本発明に係るインターホンシステムの実施形態３を図５（ａ）（ｂ）に基づいて説明する。本実施形態では、親機１からすべての副親機２１〜２Ｎに向けてブロードキャスト送信されるＩＤ登録メッセージをトリガにして、正規ＩＤ番号が割り当てられていない副親機２からＩＤ要求メッセージを送信させる点で実施形態２と異なっている。なお、それ以外の構成は実施形態２と同様であり、同一の構成要素には同一の符号を付して説明は省略する。
【００４４】
図５（ｂ）は、親機１から送信されるＩＤ登録メッセージを示し、このＩＤ登録メッセージにはＩＤ番号が登録済みか否かをチェックさせる動作フラグ００００が含まれている。
【００４５】
以下の説明では、副親機２１，２３に正規ＩＤ番号が割り当てられていない場合について説明する。なおこのとき、副親機２２に正規ＩＤ番号１が割り当てられるとともに、副親機２４に正規ＩＤ番号２が割り当てられているものとする。
【００４６】
まず、システムを起動させる電源スイッチ（図示せず）がＯＮになると、親機１からすべての副親機２１〜２Ｎに向けてＩＤ登録メッセージがブロードキャスト送信される。次に、正規ＩＤ番号が割り当てられていない副親機２１，２３では、ＩＤ要求メッセージを送信するまでの待ち時間が設定される。なお、本実施形態では、副親機２１に設定される待ち時間Ｔ１が副親機２３に設定される待ち時間Ｔ２よりも大きいものとする。ＩＤ登録メッセージの受信後、時間Ｔ２が経過すると、副親機２３から親機１に向けてランダムに設定された仮ＩＤ番号３４５６を含むＩＤ要求メッセージが送信される。親機１では、仮ＩＤ番号３４５６に対応する形で正規ＩＤ番号３が割り当てられ、仮ＩＤ番号３４５６および正規ＩＤ番号３を含むＩＤ割当メッセージが作成される。そして、上記ＩＤ割当メッセージが副親機２３に送信されると、副親機２３ではＩＤ割当メッセージに含まれる正規ＩＤ番号３がＩＤ番号割当メモリ２４に記憶されるとともに、自己のＩＤ番号として設定され、さらに親機１に向けてＩＤ受領メッセージが送信される。
【００４７】
一方、ＩＤ登録メッセージの受信後、時間Ｔ１が経過すると、副親機２１から親機１に向けて仮ＩＤ番号１２３４を含むＩＤ要求メッセージが送信される。ここにおいて、副親機２１では、時間Ｔ１が経過するまでの間、各副親機２から送信されるＩＤ要求メッセージをモニタしているため、副親機２３に設定された仮ＩＤ番号３４５６とは異なる仮ＩＤ番号１２３４が副親機２１に設定されることになる。次に親機１では、仮ＩＤ番号１２３４に対応する形で正規ＩＤ番号４が設定され、仮ＩＤ番号１２３４および正規ＩＤ番号４を含むＩＤ割当メッセージが作成される。そして、上記ＩＤ割当メッセージが副親機２１に送信されると、副親機２１ではＩＤ割当メッセージに含まれる正規ＩＤ番号４がＩＤ番号割当メモリ２４に記憶されるとともに、自己のＩＤ番号として設定され、さらに親機１に向けてＩＤ受領メッセージが送信される。
【００４８】
而して、本実施形態によれば、親機１からブロードキャスト送信されるＩＤ登録メッセージをトリガにして、各副親機２がＩＤ要求メッセージを親機１に送信するので、各副親機２への正規ＩＤ番号の割り当てを一括して行うことができ、ＩＤ番号の割り当て作業の効率化が図れる。また、各副親機２がＩＤ要求メッセージを送信するまでの待ち時間をランダムに設定しているので、メッセージ衝突による通信エラーを防止できるとともに、親機１のＣＰＵに処理負荷が集中するのを防止することができる。さらに本実施形態では、各副親機２１〜２Ｎが、ＩＤ要求メッセージを送信するまでの待ち時間の間に、他の副親機２から送信されるＩＤ要求メッセージをモニタして、これらのＩＤ要求メッセージに含まれる仮ＩＤ番号と重複しないように自己の仮ＩＤ番号を設定するので、ＩＤ番号の重複割り当てをより確実に防止できる。
【００４９】
（実施形態４）
本発明に係るインターホンシステムの実施形態４を図６に基づいて説明する。実施形態３では、正規ＩＤ番号が割り当てられていない副親機２に対して正規ＩＤ番号を割り当てる際に、親機１からブロードキャスト送信されるＩＤ登録メッセージをトリガにしているが、本実施形態では各副親機２が備える呼出ボタン２５ａの入力信号をトリガにしている点で異なっている。なお、それ以外の構成は実施形態３と同様であり、同一の構成要素には同一の符号を付して説明は省略する。
【００５０】
以下の説明では、副親機２１，２３に正規ＩＤ番号が割り当てられていない場合について説明する。なおこのとき、副親機２２に正規ＩＤ番号１が割り当てられるとともに、副親機２４に正規ＩＤ番号２が割り当てられているものとする。
【００５１】
副親機２１が備える呼出ボタン２５ａを押して、制御手段２０に操作信号が入力されると、副親機２１から親機１に向けてランダムに設定された仮ＩＤ番号１２３４を含むＩＤ要求メッセージが送信される。親機１では、仮ＩＤ番号１２３４に対応する形で正規ＩＤ番号３が割り当てられ、仮ＩＤ番号１２３４および正規ＩＤ番号３を含むＩＤ割当メッセージが作成される。そして、上記ＩＤ割当メッセージが副親機２１に送信されると、副親機２１ではＩＤ割当メッセージに含まれる正規ＩＤ番号３がＩＤ番号割当メモリ２４に記憶されるとともに、自己のＩＤ番号として設定され、さらに親機１に向けてＩＤ受領メッセージが送信される。
【００５２】
続けて、正規ＩＤ番号が割り当てられていない副親機２３が備える呼出ボタン２５ａを押して、制御手段２０に操作信号が入力されると、副親機２３から親機１に向けてランダムに設定された仮ＩＤ番号３４５６を含むＩＤ要求メッセージが送信される。親機１では、仮ＩＤ番号３４５６に対応する形で正規ＩＤ番号４が割り当てられ、仮ＩＤ番号３４５６および正規ＩＤ番号４を含むＩＤ割当メッセージが作成される。そして、上記ＩＤ割当メッセージが副親機２３に送信されると、副親機２３ではＩＤ割当メッセージに含まれる正規ＩＤ番号４がＩＤ番号割当メモリ２４に記憶されるとともに、自己のＩＤ番号として設定され、さらに親機１に向けてＩＤ受領メッセージが送信される。ここに、上記の呼出ボタン２５ａによりＩＤ設定操作部が構成されている。
【００５３】
而して、本実施形態によれば、各副親機２がＩＤ要求メッセージを送信するトリガとして呼出ボタン２５ａの操作信号を用いているので、施工後において各副親機２が備える呼出ボタン２５ａを順次操作することで、すべての副親機２に対して確実に正規ＩＤ番号を割り当てることができる。
【００５４】
（実施形態５）
本発明に係るインターホンシステムの実施形態５を図７に基づいて説明する。本実施形態では、複数台の副親機２から送信されるＩＤ要求メッセージに含まれる仮ＩＤ番号が重複する場合、ＩＤ受領メッセージを送信するまでの待ち時間の長い副親機２が、それまでに送信された他の副親機２からのＩＤ受領メッセージをモニタし、自己と重複する正規ＩＤ番号が含まれている場合には、自己の正規ＩＤ番号を破棄するとともに、親機１に対してＩＤ要求メッセージを再送信するように構成されている。なお、基本構成は実施形態２と同様であり、同一の構成要素には同一の符号を付して説明は省略する。
【００５５】
副親機２１，２３から親機１に向けて重複する仮ＩＤ番号１２３４を含むＩＤ要求メッセージが送信されたとすると、親機１では、仮ＩＤ番号１２３４に対応する形で正規ＩＤ番号１が割り当てられるとともに、仮ＩＤ番号１２３４および正規ＩＤ番号１を含むＩＤ割当メッセージが作成される。そして、上記ＩＤ割当メッセージが副親機２１，２３にそれぞれ送信されると、副親機２１，２３ではＩＤ受領メッセージを送信するまでの待ち時間が設定される。なお、本実施形態では、副親機２１に設定される待ち時間Ｔ１が副親機２３に設定される待ち時間Ｔ２よりも大きいものとする。
【００５６】
待ち時間Ｔ２が経過すると、副親機２３からは正規ＩＤ番号１を含むＩＤ受領メッセージが親機１に向けて送信されることになるが、このＩＤ受領メッセージは副親機２１にモニタされているため、副親機２１において上記ＩＤ受領メッセージに含まれる正規ＩＤ番号１が自己に割り当てられた正規ＩＤ番号１と重複していることが検出される。すると、副親機２１は自己に割り当てられた正規ＩＤ番号１を破棄した上で、親機１に対して仮ＩＤ番号４３２１を含むＩＤ要求メッセージを再送信し、親機１では受信したＩＤ要求メッセージに含まれる仮ＩＤ番号４３２１に対応する形で正規ＩＤ番号２が割り当てられるとともに、仮ＩＤ番号４３２１および正規ＩＤ番号２を含むＩＤ割当メッセージが作成される。そして、ＩＤ割当メッセージを受信した副親機２１では、待ち時間Ｔ３が設定され、待ち時間Ｔ３が経過するまでに重複する正規ＩＤ番号２が他の副親機２から検出されなければ、親機１に向けてＩＤ受領メッセージが送信され、正規ＩＤ番号２が副親機２１のＩＤ番号として設定される。
【００５７】
而して、本実施形態によれば、複数の副親機２において重複した正規ＩＤ番号が割り当てられた場合でも、ＩＤ受領メッセージを送信するまでの待ち時間の経過前に、他の副親機２から送信されるＩＤ受領メッセージに重複する正規ＩＤ番号が含まれているのを検出した場合には、各副親機２は受領した正規ＩＤ番号を破棄するとともに、親機１に対してＩＤ要求メッセージを再送信するので、ＩＤ番号の重複割り当てを回避することができ、その結果誤設定による異常動作を防止することができる。
【００５８】
（実施形態６）
本発明に係るインターホンシステムの実施形態６を図８に基づいて説明する。実施形態５では、自己に割り当てられた正規ＩＤ番号と重複する正規ＩＤ番号が他の副親機２に割り当てられていることを、ＩＤ受領メッセージを送信する前に検出しているが、本実施形態では各副親機２に正規ＩＤ番号が設定された後において検出する点で異なっている。なお、それ以外の構成は実施形態５と同様であり、同一の構成要素には同一の符号を付して説明は省略する。
【００５９】
図８（ｂ）は、各副親機２が親機１を呼び出す際に送信する親機呼出メッセージを示し、この親機呼出メッセージには正規ＩＤ番号と、制御内容を示す制御データと、親機呼出を示す動作フラグ１１１１とが含まれている。
【００６０】
今、副親機２１，２３に重複する正規ＩＤ番号１が割り当てられているとする。この状態から副親機２３が備える呼出ボタン２５ａを押すと、正規ＩＤ番号１を含む親機呼出メッセージが親機１に向けて送信される。このとき、副親機２１では、他の副親機２２〜２４から送信される親機呼出メッセージをモニタしているため、副親機２３から送信された親機呼出メッセージに、自己に割り当てられた正規ＩＤ番号１と重複する正規ＩＤ番号１が含まれていることを検出する。すると、副親機２１は、親機１に対してランダムに設定された仮ＩＤ番号１２３４を含むＩＤ要求メッセージを再送信し、親機１では仮ＩＤ番号１２３４に対応する形で正規ＩＤ番号２が割り当てられるとともに、仮ＩＤ番号１２３４および正規ＩＤ番号２を含むＩＤ割当メッセージが作成される。そして、副親機２１がＩＤ割当メッセージを受信すると、正規ＩＤ番号２をＩＤ番号割当メモリ２４に記憶させるとともに自己のＩＤ番号として設定し、さらに正規ＩＤ番号２を含むＩＤ受領メッセージを親機１に向けて送信する。
【００６１】
而して、本実施形態によれば、ＩＤ番号の割り当て後において、他の副親機２が送信する通信メッセージに含まれる正規ＩＤ番号が自己に割り当てられた正規ＩＤ番号と重複している場合には、自己の正規ＩＤ番号を破棄するとともに、親機１に対してＩＤ要求メッセージを再送信するので、ＩＤ番号の割り当て動作において重複するＩＤ番号が割り当てられた場合でも、自動的に解消することができ、その結果誤設定による異常動作を防止することができる。
【００６２】
なお、実施形態１〜６では、信号線３に接続される副親機２が４台の場合を例に説明したが、信号線３に接続される副親機２は複数台であればよく、例えば２台または３台であってもいいし、５台以上であってもよい。
【図面の簡単な説明】
【００６３】
【図１】（ａ）は実施形態１のインターホンシステムの概略ブロック図、（ｂ）は同上に用いられる親機のブロック図、（ｃ）は同上に用いられる副親機のブロック図である。
【図２】（ａ）は同上において正規ＩＤ番号を割り当てる手順を説明する説明図、（ｂ）（ｃ）は同上に用いられる送信データを示すデータ図である。
【図３】（ａ）（ｂ）は同上に用いられる送信データの別の例を示すデータ図である。
【図４】（ａ）は実施形態２のインターホンシステムにおいて正規ＩＤ番号を割り当てる手順を説明する説明図、（ｂ）は同上に用いられる送信データを示すデータ図である。
【図５】（ａ）は実施形態３のインターホンシステムにおいて正規ＩＤ番号を割り当てる手順を説明する説明図、（ｂ）は同上に用いられる送信データを示すデータ図である。
【図６】実施形態４のインターホンシステムにおいて正規ＩＤ番号を割り当てる手順を説明する説明図である。
【図７】実施形態５のインターホンシステムにおいて正規ＩＤ番号を割り当てる手順を説明する説明図である。
【図８】（ａ）は実施形態６のインターホンシステムにおいて正規ＩＤ番号を割り当てる手順を説明する説明図、（ｂ）は同上に用いられる送信データを示すデータ図である。
【図９】（ａ）は従来例のインターホンシステムに用いられる副親機のブロック図、（ｂ）は同上においてＩＤ番号を設定する際に用いられるＤＩＰスイッチの回路図である。
【符号の説明】
【００６４】
１  親機（マスター機器）
２１〜２Ｎ  副親機（スレーブ機器）
３  信号線
【図１】
2010081123.tif 000003
【図２】
2010081123.tif 000004
【図３】
2010081123.tif 000005
【図４】
2010081123.tif 000006
【図５】
2010081123.tif 000007
【図６】
2010081123.tif 000008
【図７】
2010081123.tif 000009
【図８】
2010081123.tif 000010
【図９】
2010081123.tif 000011